(57)【要約】      （修正有）【課題】発光部が高重量化した場合でもＬＥＤの照射方向にずれが生じるのを抑制できるＬＥＤ照明灯を提供する。【解決手段】ＬＥＤ照明灯１０は、筐体１１と、筐体１１に収容され、ＬＥＤ２１を有する発光部２０と、発光部２０を支持する支持部４０と、を備える。支持部４０は、発光部２０に取り付けられる第一取付部４１と、筐体１１に対して着脱可能に取り付けられる第二取付部４２と、を有する。第二取付部４２でも発光部２０を筐体１１に支持する。【選択図】図２
2019129122.tif 000002
【特許請求の範囲】
【請求項１】
筐体と、
前記筐体に収容され、ＬＥＤを有する発光部と、
前記発光部を支持する支持部と、を備え、
前記支持部は、
前記発光部に取り付けられる第一取付部と、
前記筐体に対して着脱可能に取り付けられる第二取付部と、を有する
ＬＥＤ照明灯。
【請求項２】
前記第一取付部は、前記発光部に対して移動可能に取り付けられる
請求項１に記載のＬＥＤ照明灯。
【請求項３】
前記第一取付部は、反った形状を有する長尺状の部材である
請求項１または２に記載のＬＥＤ照明灯。
【請求項４】
さらに、前記発光部の前記ＬＥＤとは反対側に配置される放熱部を備え、
前記第一取付部は、前記放熱部に取り付けられる
請求項１〜３のいずれか１項に記載のＬＥＤ照明灯。
【請求項５】
さらに、口金と、前記口金及び前記ＬＥＤを接続する配線と、を備え、
前記発光部は、さらに、前記ＬＥＤが設けられた複数の基板を有し、
前記複数の基板の間には、空間が形成され、
前記配線は、前記口金から前記放熱部を通って、前記空間から前記ＬＥＤ側に露出し、前記ＬＥＤに接続される
請求項４に記載のＬＥＤ照明灯。
【発明の詳細な説明】
【技術分野】
【０００１】
本発明は、ＬＥＤ照明灯に関する。
【背景技術】
【０００２】
従来、ＨＩＤ（High-Intensity Discharge）ランプを用いた道路灯に代わるものとして、光源にＬＥＤ（Light Emitting Diode）を用いたＬＥＤ道路灯が望まれている（例えば、特許文献１参照）。
【先行技術文献】
【特許文献】
【０００３】
【特許文献１】特開２０１５−１５３６３９号公報
【発明の概要】
【発明が解決しようとする課題】
【０００４】
しかしながら、ＬＥＤ道路灯のような高輝度のＬＥＤ照明灯は、発光輝度の関係上、発光時に発生する熱をＬＥＤから放熱する放熱部が必要になるため、ＬＥＤを有する発光部は、ＨＩＤランプよりも高重量化する場合がある。
【０００５】
その場合、発光部と口金とを連結する連結部材にかかる重量負荷が増加するため、長期間の使用により当該連結部材が変形し、ＬＥＤの照射方向にずれが生じる課題があった。
【０００６】
本発明は、上記課題を解決するためになされたものであり、発光部が高重量化した場合でもＬＥＤの照射方向にずれが生じるのを抑制できるＬＥＤ照明灯を提供することを目的とする。
【課題を解決するための手段】
【０００７】
本発明の一態様に係るＬＥＤ照明灯は、筐体と、前記筐体に収容され、ＬＥＤを有する発光部と、前記発光部を支持する支持部と、を備え、前記支持部は、前記発光部に取り付けられる第一取付部と、前記筐体に対して着脱可能に取り付けられる第二取付部と、を有する。
【発明の効果】
【０００８】
本発明に係るＬＥＤ照明灯によれば、発光部が高重量化した場合でもＬＥＤの照射方向にずれが生じるのを抑制できる。
【図面の簡単な説明】
【０００９】
【図１】実施の形態に係るＬＥＤ照明灯を備える照明柱の外観を示す概念図である。
【図２】図１のＬＥＤ照明灯の構成を示す概念図である。
【図３】図２のＬＥＤ照明灯の内部構成の各構成要素を示す斜視図である。
【図４】図３のＬＥＤ照明灯の内部構成のうち着脱可能な構成要素を取り外した場合の構成を示す斜視図である。
【図５】図４の発光部と放熱部材とを分離した場合の構成を示す斜視図である。
【発明を実施するための形態】
【００１０】
以下、図面を参照しつつ、本発明の実施の形態に係るＬＥＤ照明灯について説明する。なお、以下で説明する実施の形態は、包括的又は具体的な例を示すものである。以下の実施の形態で示される数値、形状、材料、構成要素、構成要素の配置位置及び接続形態などは、一例であり、本発明を限定する主旨ではない。また、以下の実施の形態における構成要素のうち、最上位概念を示す独立請求項に記載されていない構成要素については、任意の構成要素として説明される。また、添付の図面における各図は、模式的な図であり、必ずしも厳密に図示されたものでない。さらに、各図において、同一又は同様な構成要素については同じ符号を付している。
【００１１】
（実施の形態）
［１．ＬＥＤ照明灯１０の概略構成の説明］
まず、本実施の形態に係るＬＥＤ照明灯１０を備える照明柱１の構成について説明する。図１は、本実施の形態に係るＬＥＤ照明灯１０を備える照明柱１の外観を示す概念図である。
【００１２】
なお、以下の説明及び図面中において、ＬＥＤ照明灯１０の前後方向をＸ軸方向と定義する。また、ＬＥＤ照明灯１０の左右方向をＹ軸方向と定義する。また、ＬＥＤ照明灯１０の上下方向をＺ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向やＺ軸方向についても同様である。
【００１３】
図１に示すように、照明柱１は、その最上部に設けられ且つ照明用の光を発するＬＥＤ照明灯１０と、地面等から立設する支柱２と、ＬＥＤ照明灯１０及び支柱２を連結するアーム３とを備えている。つまり、ＬＥＤ照明灯１０は、光源にＬＥＤ（Light Emitting Diode）を用いて道路を照らすＬＥＤ照明灯であり、アーム３及び支柱２によって支持されている。また、商用電源等の電力系統に電気的に接続された電線が、支柱２内及びアーム３内に通されて、ＬＥＤ照明灯１０に電気的に接続されることで、ＬＥＤ照明灯１０に電力が供給される。なお、ＬＥＤ照明灯１０は、地面に据え付けられるのではなく、アーム３を介して構造物に取り付けられるように構成されていてもよい。また、ＬＥＤ照明灯１０の設置場所は、道路（歩道や車道）脇には限定されず、例えば、公園等の広場内、工場の敷地内、ガソリンスタンドのサービスステーション内等、どのような場所にでも設置可能である。
【００１４】
次に、ＬＥＤ照明灯１０の構成について、詳細に説明する。図２は、図１のＬＥＤ照明灯１０の構成を示す概念図である。具体的には、図２の（ａ）は、図１のＬＥＤ照明灯１０の筐体１１を透過して、ＬＥＤ照明灯１０を側方から見た場合の内部構成を破線で示す側面図である。また、図２の（ｂ）は、図１のＬＥＤ照明灯１０の筐体１１及びカバー１２を透過して、ＬＥＤ照明灯１０をカバー１２側から見た場合の内部構成を破線で示す底面図である。
【００１５】
なお、説明の便宜のため、図２の（ａ）では、図１に示したＬＥＤ照明灯１０を上下逆にして図示している。つまり、図２の（ａ）では、Ｚ軸方向マイナス側（矢印と反対側）を上方として図示しており、以下では、Ｚ軸方向マイナス側を上方として説明する。図３以降の図及びその説明においても、同様である。
【００１６】
図２に示すように、ＬＥＤ照明灯１０は、筐体１１と、照明用の光を外部に放射するためのカバー１２とを備えている。筐体１１及びカバー１２は、内部に種々の構成要素を収容する閉じた空間を形成している。具体的には、筐体１１は、アーム３が接続される第一筐体１１ａと、カバー１２が接続される第二筐体１１ｂとを有している。筐体１１（第一筐体１１ａ及び第二筐体１１ｂ）の材質は、特に限定されず、例えば、アルミニウム、アルミニウム合金、アルミナ、またはマグネシウム合金等の高い熱伝導性を有する金属材料から形成されている。カバー１２は、透光性を有する平板状かつ平面視略楕円状の部材である。また、カバー１２は、例えば、ガラスまたは樹脂等によって形成されている。なお、カバー１２の形状は平面視略楕円状には限定されず、平面視で円形状や多角形状等でもよく、また、平板状にも限定されず、半楕円球状、半球状、半円柱状、半楕円柱状等でもよい。また、カバー１２の材質も特に限定されない。
【００１７】
また、ＬＥＤ照明灯１０は、筐体１１及びカバー１２の内部に、電力によって光を発する発光部２０と、発光部２０から発せられる熱を放熱する放熱部材３０と、発光部２０を支持する支持部４０と、発光部２０に電力を供給するための口金５０とを備えている。これらの具体的な構成について、以下に詳細に説明する。
【００１８】
［２．ＬＥＤ照明灯１０の内部構成の説明］
ＬＥＤ照明灯１０の内部構成について、図２に加え、図３及び図４も参照して、詳細に説明する。図３は、図２のＬＥＤ照明灯１０の内部構成の各構成要素を示す斜視図である。また、図４は、図３のＬＥＤ照明灯１０の内部構成のうち着脱可能な構成要素を取り外した場合の構成を示す斜視図である。具体的には、図４の（ａ）は、当該斜視図であり、図４の（ｂ）は、図４の（ａ）の点線内を拡大して示す拡大斜視図である。なお、図４の（ｂ）では、ガイド部３４ｂのＹ軸方向プラス側で切断し、ガイド部３４ｂの形状を示している。
【００１９】
［２−１．発光部２０の構成の説明］
これらの図に示すように、発光部２０は、筐体１１に収容され、かつ、カバー１２の内側（Ｚ軸方向プラス側）に配置された部位であり、複数のＬＥＤ２１と、Ｘ軸方向（以下、第一方向ともいう）に並ぶ複数（本実施の形態では３枚）の基板２２とを有している。
【００２０】
複数のＬＥＤ２１は、複数の基板２２のＺ軸方向マイナス側（以下、第二方向側ともいう）の表面に設けられた発光素子である。具体的には、Ｘ軸方向及びＹ軸方向に並べられた複数のＬＥＤ２１が、それぞれの基板２２の表面上に配置（実装）されて、矩形状の発光領域を形成している。基板２２は、矩形状かつ平板状の基板であり、放熱部材３０側に熱を放出できるように、放熱部材３０に直接、または、熱伝導部材を介して取り付けられている。基板２２の材質は特に限定されないが、例えばアルミニウム等によって形成されている。
【００２１】
また、発光部２０は、複数のＬＥＤ２１の全体を覆うように、基板２２の上方に配置されたレンズ体も有している。具体的には、レンズ体は、透光性を有する樹脂またはガラス等の材料から形成されており、複数のＬＥＤ２１が発する光を、放射状に拡散するように配光する。なお、発光部２０の形状、ＬＥＤ２１の個数や配置位置、基板２２の枚数や形状等は、特に限定されない。また、発光部２０は、レンズ体を有していない構成でもよい。また、ＬＥＤ２１は、ＳＭＤ（Surface Mount Device）型のＬＥＤであってもよいし、ＣＯＢ（Chip On Board）型のＬＥＤであってもよい。
【００２２】
［２−２．放熱部材３０の構成の説明］
放熱部材３０は、発光部２０のＬＥＤ２１とは反対側、つまり、発光部２０のＺ軸方向プラス側（第二方向とは反対側）に配置され、発光部２０が発する熱を放熱する部材である。放熱部材３０は、例えば、アルミニウム、アルミニウム合金、アルミナ、マグネシウム合金等の高い熱伝導性を有する金属材料から形成されるのが好ましい。
【００２３】
具体的には、図４に示すように、放熱部材３０は、基板２２が載置される載置台３１と、放熱部３２とを有している。本実施の形態では、複数（３枚）の基板２２に対応して、複数（３つ）の載置台３１が配置されている（図５参照）。つまり、それぞれの載置台３１は、それぞれの基板２２と対向して配置される、それぞれの基板２２と同じまたは当該基板２２よりも少し大きな矩形状かつ平板状の部位である。これにより、それぞれの載置台３１は、Ｚ軸方向プラス側に、それぞれの基板２２に対向する平坦面を有することとなり、当該平坦面に基板２２がネジ等で固定される。
【００２４】
放熱部３２は、載置台３１から下方（Ｚ軸方向プラス側）に延設される部位（放熱フィン）であり、第一フィン３３と、第一フィン３３よりも厚みが厚い部分を有する第二フィン３４とを有している。具体的には、Ｙ軸方向に複数の第一フィン３３が並んで配置され、かつ、Ｙ軸方向の両側に２つの第二フィン３４が配置されている。
【００２５】
第一フィン３３は、Ｚ軸方向かつＸ軸方向に延設される矩形状かつ平板状の部位である。具体的には、第一フィン３３は、複数の載置台３１を跨いで、当該複数の載置台３１のＸ軸方向プラス側の端縁からＸ軸方向マイナス側の端縁まで延設されて配置されている。これにより、第一フィン３３は、複数の基板２２を跨いで配置されることとなる。
【００２６】
第二フィン３４は、Ｚ軸方向かつＸ軸方向に延設される角筒形状の部位である。具体的には、第二フィン３４は、第一フィン３３と同様に、複数の載置台３１を跨いで、当該複数の載置台３１のＸ軸方向プラス側の端縁からＸ軸方向マイナス側の端縁まで延設されて配置されている。これにより、第二フィン３４も、複数の基板２２を跨いで配置されることとなる。
【００２７】
ここで、第二フィン３４は、第一フィン３３よりもＹ軸方向の厚みが厚い部材中に、Ｘ軸方向に延びる角柱状の空間が形成されたような形状を有しており、当該空間の対向する２つの角部のそれぞれに、口金５０が取り付けられる厚肉部３４ａが形成されている。このように、第二フィン３４は、第一フィン３３よりも厚みが厚い部分を有することで、第一フィン３３よりも放熱性を向上させることができる。また、厚肉部３４ａには、口金５０が取り付けられる際に、ネジ５２（図３参照）が挿入される円柱状のネジ孔が形成されている。なお、本実施の形態では、厚肉部３４ａは、第二フィン３４のＸ軸方向プラス側の端縁からＸ軸方向マイナス側の端縁まで延設されて配置されているが、Ｘ軸方向プラス側の端部にのみ配置されていてもよい。
【００２８】
また、第二フィン３４は、Ｙ軸方向の側面（図４の（ｂ）では、Ｙ軸方向プラス側の側面）に、支持部４０が取り付けられるガイド部３４ｂを有している。ガイド部３４ｂは、支持部４０を上下で挟んでＸ軸方向に移動可能に案内するレールである。なお、本実施の形態では、ガイド部３４ｂは、第二フィン３４のＸ軸方向プラス側の端縁からＸ軸方向マイナス側の端縁まで延設されて配置されているが、支持部４０が移動する範囲にのみ配置されていてもよい。
【００２９】
［２−３．支持部４０の構成の説明］
支持部４０は、Ｘ軸方向に延設されたアルミニウムやステンレスなどの金属製の部材であり、発光部２０を支持する。なお、支持部４０の材質は特に限定されないが、強度の高い材料で形成されているのが好ましい。ここで、支持部４０は、発光部２０に取り付けられる第一取付部４１と、筐体１１に対して着脱可能に取り付けられる第二取付部４２とを有している。
【００３０】
第一取付部４１は、Ｘ軸方向に延設された平板状かつ長尺状の部材であり、Ｙ軸方向に２つの第一取付部４１が並んで配置されている。また、それぞれの第一取付部４１は、Ｙ軸方向プラス側またはＹ軸方向マイナス側に反った形状を有している。また、第一取付部４１は、発光部２０に対して移動可能に取り付けられている。つまり、上述の通り、第一取付部４１は、放熱部材３０の第二フィン３４のガイド部３４ｂに、口金５０とは反対側であるＸ軸方向マイナス側から挿入されることで、ガイド部３４ｂ内でＸ軸方向に移動可能（スライド可能）に配置される。さらに、第一取付部４１は、ガイド部３４ｂから取り外すことも可能であるため、発光部２０に対して着脱可能に取り付けられているとも言える。これにより、第一取付部４１は、発光部２０及び放熱部材３０に対して、Ｘ軸方向に移動可能（伸縮可能）かつ着脱可能な構成となる。
【００３１】
なお、第一取付部４１を発光部２０に対して移動可能に取り付ける構成は、上記には限定されず、例えば、第一取付部４１をネジ留め等で段階的に移動可能とした構成や、第一取付部４１を伸縮可能な蛇腹形状で形成した構成等であってもよい。
【００３２】
このように、支持部４０は、発光部２０に取り付けられる第一取付部４１と、筐体１１に対して着脱可能に取り付けられる第二取付部４２とを有している、すなわち、発光部２０を第二取付部４２でも筐体１１に支持するため、発光部２０が高重量化した場合でも、発光部２０と口金５０とを連結する連結部材にかかる重量負荷を低減することができる。また、地面の振動等の揺れによる当該連結部材の劣化を抑制することができる。
【００３３】
また、このように、第一取付部４１は、反った形状を有していることで補強されるため、発光部２０を支持する力を向上することができている。また、第一取付部４１を、第二フィン３４を利用して放熱部３２に取り付けることで、第一取付部４１を取り付けるための別部品を配置する必要がなく部品点数を低減することができる。
【００３４】
さらに、第一取付部４１が、発光部２０に対して移動可能に取り付けられることで、第二取付部４２を移動させることができる。このため、筐体１１の発光部２０を収容する寸法（以下、内部寸法という）の大きさにかかわらず、第二取付部４２を筐体１１に対して容易に取り付けることができるため、汎用性を高めることができる。
【００３５】
第二取付部４２は、第一取付部４１のＸ軸方向マイナス側の端部からＺ軸方向マイナス側へ延び、次に、Ｘ軸方向マイナス側へ延び、さらに、Ｚ軸方向プラス側に延びる逆Ｕ字形状の部位であり、Ｙ軸方向に２つの第二取付部４２が並んで配置されている。本実施の形態では、第二取付部４２は、筐体１１の第一筐体１１ａと第二筐体１１ｂとの間に挟まれることで、筐体１１に固定される。このため、第一筐体１１ａと第二筐体１１ｂとを分離すれば、筐体１１から第二取付部４２を取り外すことができる。このように、第二取付部４２は、筐体１１に着脱可能に固定される。
【００３６】
なお、第二取付部４２は、筐体１１に固定されるのではなく、例えば筐体１１に係合し、または第二筐体１１ｂ上に載置されることで、筐体１１に取り付けられることにしてもよい。また、第二取付部４２は、筐体１１以外の他の部材に着脱可能に取り付けられることで、筐体１１に間接的に取り付けられることにしてもよい。
【００３７】
このように、第二取付部４２が、筐体１１に対して着脱可能に取り付けられていることで、発光部２０を交換する際に、容易に発光部２０を取り外して、また、取り付けることができるため、発光部２０を容易に交換することができる。
【００３８】
［２−４．口金５０の構成の説明］
口金５０は、照明柱１のアーム３内を通る配線と接続されて、発光部２０に電力を供給する部材であり、発光部２０に対して着脱可能に取り付けられている。具体的には、口金５０は、放熱部材３０に固定される固定部５１（上述した連結部材に相当）を有している。固定部５１は、アルミニウムやステンレスなどの金属製の板状部材であり、放熱部３２の第二フィン３４の厚肉部３４ａに、ネジ５２によって固定される。つまり、固定部５１には、Ｙ軸方向両側及びＺ軸方向両側の４箇所に円形状の貫通孔５１ａが設けられており、これらの貫通孔５１ａのそれぞれにネジ５２が挿入されて、放熱部３２の第二フィン３４の厚肉部３４ａに固定部５１が固定される。このように、口金５０は、第二フィン３４の厚みが厚い部分に取り付けられる。
【００３９】
なお、固定部５１の材質は特に限定されないが、強度の高い材料で形成されているのが好ましい。また、固定部５１の固定方法は、ネジ５２によるネジ留めには限定されず、係合や嵌合による固定など、固定部５１を発光部２０に対して着脱可能に取り付けられる方法であれば、特に限定されない。
【００４０】
［３．口金５０と発光部２０とを接続する配線６０の配置位置の説明］
ここで、口金５０は、口金５０とＬＥＤ２１とを接続する配線６０によって、発光部２０に電力を供給している。この配線の配置位置（配線ルート）について、以下に詳細に説明する。図５は、図４の発光部２０と放熱部材３０とを分離した場合の構成を示す斜視図である。
【００４１】
図５に示すように、発光部２０の複数の基板２２は、Ｘ軸方向に離間して配置されており、これにより、複数の基板２２の間には、第一空間Ｓ１が形成されている。つまり、第一空間Ｓ１は、Ｙ軸方向に延びる長尺な空間（隙間）である。また、放熱部材３０の複数の載置台３１は、それぞれが複数の基板２２に対応する位置に配置されており、これにより、複数の載置台３１の間には、第一空間Ｓ１と連続する第二空間Ｓ２が形成されている。つまり、第二空間Ｓ２は、Ｙ軸方向に延びる長尺な空間（隙間）であり、Ｚ軸方向から見て、第一空間Ｓ１と重なる位置に配置されている。
【００４２】
このような構成において、放熱部３２は、複数の載置台３１を跨いでＸ軸方向に延設されているため、放熱部３２は、第一空間Ｓ１及び第二空間Ｓ２から、ＬＥＤ２１側、つまりＺ軸方向マイナス側（第二方向側）に露出して配置されている。つまり、第一フィン３３及び第二フィン３４は、第一空間Ｓ１及び第二空間Ｓ２から第二方向側に露出して配置されている。言い換えれば、放熱部３２（第一フィン３３及び第二フィン３４）は、第一空間Ｓ１及び第二空間Ｓ２からなる発光部２０の上部空間と連なる空間に隣接して配置されている。
【００４３】
このように、放熱部３２（第一フィン３３及び第二フィン３４）が、第一空間Ｓ１及び第二空間Ｓ２から露出して配置されていることで、第一空間Ｓ１及び第二空間Ｓ２から放熱することができるため、放熱性を向上させることができる。これにより、後述する配線６０への熱の影響も抑制することができる。
【００４４】
そして、上記のような構成において、口金５０に接続された配線６０は、放熱部３２を通り、かつ、第一空間Ｓ１及び第二空間Ｓ２からなる空間を通って、発光部２０に接続される。つまり、配線６０は、第一空間Ｓ１及び第二空間Ｓ２から、ＬＥＤ２１側、つまりＺ軸方向マイナス側（第二方向側）に露出し、かつ、第一空間Ｓ１及び第二空間Ｓ２に沿って延設されて配置されている。具体的には、配線６０は、口金５０から載置台３１の裏側を通り、第二空間Ｓ２のＹ軸方向中央位置において第二空間Ｓ２に侵入し、第二空間Ｓ２内をＹ軸方向プラス側へ延びて、発光部２０の基板２２のＹ軸方向プラス側の端部に接続される。
【００４５】
これにより、配線６０は、第二空間Ｓ２から露出した放熱部３２を横切るため、放熱部３２（第一フィン３３及び第二フィン３４）と隣り合う位置に配置されることとなる。つまり、配線６０は、第一フィン３３及び第二フィン３４を跨いで、第一フィン３３及び第二フィン３４の上方を通過するように配置される。なお、図５では、第二空間Ｓ２を通る配線６０だけを図示しており、その他の配線は省略している。
【００４６】
このように、配線６０が、第一空間Ｓ１及び第二空間Ｓ２から露出し、かつ、第一空間Ｓ１及び第二空間Ｓ２に沿って延設されて配置されていることで、配線６０が熱で熱せられるのを抑制することができる。また、配線６０が、放熱部３２（第一フィン３３及び第二フィン３４）と隣り合う位置に配置されることで、配線６０が熱せられても放熱部３２によって放熱することができる。特に、配線６０は、第一フィン３３よりも放熱性が高い第二フィン３４と隣り合う位置に配置されているため、配線６０が熱せられた際の放熱性を向上させることができる。これらにより、配線６０への熱の影響を抑制することができる。
【００４７】
［４．変形例の説明］
以上、本発明の実施の形態に係るＬＥＤ照明灯１０について説明したが、本発明は、この実施の形態に限定されるものではない。つまり、今回開示された実施の形態は全ての点で例示であって制限的なものではないと考えられるべきである。本発明の範囲は上記した説明ではなくて特許請求の範囲によって示され、特許請求の範囲と均等の意味及び範囲内での全ての変更が含まれることが意図される。
【００４８】
例えば、上記実施の形態では、支持部４０の第一取付部４１は、発光部２０に対して移動可能及び着脱可能に取り付けられていることとしたが、第一取付部４１は、発光部２０に対して移動不能または着脱不能に取り付けられていることにしてもよい。また、第一取付部４１は、反った形状を有していなくてもよい。さらに、第一取付部４１は、放熱部３２ではなく載置台３１に取り付けられていることにしてもよいし、放熱部材３０以外の部材に取り付けられていることにしてもよい。
【００４９】
また、上記実施の形態では、口金５０は、発光部２０に対して着脱可能に取り付けられていることとしたが、口金５０は、発光部２０に対して着脱不能に取り付けられていることにしてもよい。また、口金５０は、放熱部３２ではなく載置台３１に取り付けられていることにしてもよいし、放熱部材３０以外の部材に取り付けられていることにしてもよい。
【００５０】
また、上記実施の形態では、放熱部３２は、第一空間Ｓ１及び第二空間Ｓ２から露出して配置されていることとしたが、放熱部３２は、これらの空間から露出していないことにしてもよい。また、配線６０は、これらの空間から露出し、かつ、これらの空間に沿って延設されて配置されていることとしたが、配線６０は、これらの空間から露出せず、または、これらの空間に沿って延設されていないことにしてもよい。または、第一空間Ｓ１及び第二空間Ｓ２自体が形成されていないことにしてもよい。
【００５１】
なお、上記実施の形態及びその変形例を任意に組み合わせて構築される形態も、本発明の範囲内に含まれる。
【符号の説明】
【００５２】
１  照明柱
２  支柱
３  アーム
１０  ＬＥＤ照明灯
１１  筐体
１１ａ  第一筐体
１１ｂ  第二筐体
１２  カバー
２０  発光部
２１  ＬＥＤ
２２  基板
３０  放熱部材
３１  載置台
３２  放熱部
３３  第一フィン
３４  第二フィン
３４ａ  厚肉部
３４ｂ  ガイド部
４０  支持部
４１  第一取付部
４２  第二取付部
５０  口金
５１  固定部
５１ａ  貫通孔
５２  ネジ
６０  配線
【図１】
2019129122.tif 000003
【図２】
2019129122.tif 000004
【図３】
2019129122.tif 000005
【図４】
2019129122.tif 000006
【図５】
2019129122.tif 000007